(57)【特許請求の範囲】
【請求項１】
光源から原稿面に照射された後、前記原稿面から反射される反射光を電気信号に変換する撮像素子と、前記反射光を前記撮像素子上に結像するレンズと、前記撮像素子および前記レンズを保持する保持部材と、前記保持部材を支持するとともに、前記撮像素子および前記レンズを本体フレームに固定する支持部材とを備えた画像読取装置において、
前記保持部材が、前記撮像素子を保持する第１保持部材と、前記レンズを保持する第２保持部材とを有し、
前記反射光の光軸方向に離隔する位置に設定され、前記第１保持部材と前記支持部材を締結する複数の第１締結部と、
前記光軸方向に対して複数の前記第１締結部の間に設定され、前記第１保持部材を前記第２保持部材に締結する第２締結部とを設けたことを特徴とする画像読取装置。
【請求項２】
前記第２締結部は、スポット溶接であることを特徴とする請求項１に記載の画像読取装置。
【請求項３】
前記第２締結部は、カシメ固定であることを特徴とする請求項１に記載の画像読取装置。
【請求項４】
前記第２締結部は、前記第１保持部材および第２保持部材の何れか一方に設けられ、前記光軸方向に延在する長穴と、前記第１保持部材および第２保持部材の何れか他方に設けられた丸穴と、前記長穴および前記丸穴に挿通するボルトと、前記ボルトに螺合するナットとを備えたことを特徴とする請求項１に記載の画像読取装置。
【請求項５】
前記保持部材を板金部材から構成したことを特徴とする請求項１〜請求項４の何れか１項に記載の画像読取装置。
【請求項６】
前記板金部材を黒色鋼板から構成したことを特徴とする請求項５に記載の画像読取装置。
【請求項７】
前記第２保持部材は前記撮像素子を覆う遮蔽部を備え、前記遮蔽部は、撮像素子に対して前記光軸方向と略直交する方向に設置されることを特徴とする請求項１〜請求項６の何れか１項に記載の画像読取装置。
【請求項８】
前記遮蔽部は、別部材からなり、前記第１保持部材に直接固定されることを特徴とする請求項７に記載の画像読取装置。
【請求項９】
前記遮蔽部は、前記第１保持部材から前記撮像素子側に延在することを特徴とする請求項７に記載の画像読取装置。
【請求項１０】
前記第１保持部材を前記第２保持部材の光軸方向の一端部に設け、前記第２保持部材の光軸方向の他端部に、前記レンズに入射される反射光のシェーディング補正を行うシェーディング補正板を一体的または別体に設けたことを特徴とする請求項１〜請求項９の何れか１項に記載の画像読取装置。
【請求項１１】
前記第１保持部材は、前記撮像素子と前記レンズの位置決めを行う位置決め用の開口部を有し、前記開口部は、前記反射光の光軸方向に対して前記複数の第１締結部の間の位置に設けられることを特徴とする請求項１〜請求項１０の何れか１項に記載の画像読取装置。
【請求項１２】
記録媒体に画像を形成する画像形成手段を備えるとともに、請求項１〜請求項１１の何れか１項に記載の画像読取装置を備えたことを特徴とする画像形成装置。
【発明の詳細な説明】
【技術分野】
【０００１】
本発明は、画像読取装置および画像読取装置を備えた画像形成装置に関し、例えば、原稿からの反射光をレンズで集光した後、撮像素子に結像して電気信号に変換するようにしたスキャナ装置等の画像読取装置およびこの画像読取装置を備えたファクシミリ装置、複写機、複合機等の画像形成装置に関する。
【背景技術】
【０００２】
複写機、ファクシミリ装置、複合機等の画像形成装置に備えられた画像読取装置にあっては、光源から原稿面に光を照射し、原稿からの反射光を複数のミラーを介してレンズに入射させ、このレンズによってＣＣＤラインセンサ等の撮像素子に結像して電気信号に変換することにより、原稿を読取るようになっている。
【０００３】
ところで、レンズで集光された原稿面からの反射光を撮像素子の素子面に正確に結像させるためには、レンズと撮像素子との距離を高精度に位置決めする必要があり、従来の画像読取装置では、平板状の第１保持ブラケットにレンズを支持するとともに、第２保持ブラケットに撮像素子を支持し、第１保持ブラケットに第２保持ブラケットの位置を調整した後に第１保持ブラケットに第２保持ブラケットを締結することにより、レンズと撮像素子との位置を高精度に位置決めするようにしている（例えば、特許文献１参照）。
【０００４】
この画像読取装置にあっては、レンズを支持する第１保持ブラケットと撮像素子を支持する第２保持ブラケットを分割することにより、レンズと撮像素子とを支持する読取ユニットの製造を容易に行うことができるとともに、レンズとＣＣＤラインセンサとの位置決め作業を良好に行うことができる。
【０００５】
図１１に従来の読取ユニットの構成を示し、説明する。図１１において、図示しない画像読取装置の本体フレームに固定される支持ブラケット１にはＬ字形状の第１保持ブラケット２がボルト３ａ、３ｂによって締結されており、この第１保持ブラケット２にはバンド部材４によってレンズ５が固定されている。
【０００６】
また、第１保持ブラケット２にはＬ字形状の第２保持ブラケット６が設けられており、この第２保持ブラケット６には回路基板８に搭載された撮像素子７が圧着によって固定されている。
【０００７】
また、第２保持ブラケット６はカシメ（以下、カシメ固定部分をカシメ部９ａ、９ｂという）によって締結されており、このカシメ部９ａ、９ｂはボルト３ａ、３ｂに対して光軸方向外方に設定されている。
【０００８】
このような構成を有する読取ユニットにあっては、第１保持ブラケット２をボルト３ａ、３ｂによって支持ブラケット１に取付けた後、撮像素子７とレンズ５の位置決めを行って第２保持ブラケット６を第１保持ブラケット２にカシメ部９ａ、９ｂによりカシメ固定し、次いで、支持ブラケット１を本体フレームに固定するようにしている。
【特許文献１】特開２００３−１１５９７８公報
【発明の開示】
【発明が解決しようとする課題】
【０００９】
しかしながら、このような画像読取装置にあっては、撮像素子７または画像読取装置の周囲の機器の温度上昇の影響を読取ユニットが受けてしまい、特に、撮像素子７の近傍の第２保持ブラケット６が撮像素子７からの熱の影響を受けて光軸方向への曲げや光軸方向に対して反り等の変形を生じてしまう。
【００１０】
従来の読取ユニットでは、カシメ部９ａがボルト３ａと撮像素子７の間に位置していたため、撮像素子７の熱の影響を受けて第２保持ブラケット６がカシメ部９ａを支点として光軸方向に対して、矢印Ａで示す方向に反ってしまい、レンズ５と撮像素子７の素子面の距離がずれてしまい、原稿の読取精度が悪化してしまうという問題があった。
【００１１】
本発明は、従来の問題を解決するためになされたもので、撮像素子から発生する熱の影響を受けて撮像素子とレンズとの距離が大きく変動するのを防止して、原稿の読取精度が悪化するのを防止することができる画像読取装置および画像読取装置を備えた画像形成装置を提供することを目的とする。
【課題を解決するための手段】
【００１２】
本発明の画像読取装置は、光源から原稿面に照射された後、前記原稿面から反射される反射光を電気信号に変換する撮像素子と、前記反射光を前記撮像素子上に結像するレンズと、前記撮像素子および前記レンズを保持する保持部材と、前記保持部材を支持するとともに、前記撮像素子および前記レンズを本体フレームに固定する支持部材とを備えた画像読取装置において、前記保持部材が、前記撮像素子を保持する第１保持部材と、前記レンズを保持する第２保持部材とを有し、前記反射光の光軸方向に離隔する位置に設定され、前記第１保持部材と前記支持部材を締結する複数の第１締結部と、前記光軸方向に対して複数の前記第１締結部の間に設定され、前記第１保持部材を前記第２保持部材に締結する第２締結部とを設けたものから構成されている。
【００１３】
このように、レンズを保持する第１保持部材と支持部材を締結する複数の第１締結部を反射光の光軸方向に離隔する位置に設け、撮像素子を保持する第２保持部材を第１保持部材に締結する第２締結部を、光軸方向に対して複数の第１締結部の間に設けることによって、第２保持部材の取付け位置を第１締結部の間に位置させることができる。
【００１４】
このように光軸方向に離隔して位置する第１締結部によって支持部材と第１保持部材とを締結したので、撮像素子から発生する熱によって第１締結部の間の第１保持部材が変形するのを抑制することができる。
そして、変形を抑制することができる第１保持部材の間に第２締結部を設定して第２保持部材を第１保持部材に締結したので、撮像素子から発生する熱の影響によって第２保持部材が光軸方向に対して反ってしまうのを抑制することができる。この結果、撮像素子とレンズとの距離が大きく変動するのを防止して、原稿の読取精度が悪化するのを防止することができる。
【００１５】
また、撮像素子とレンズを保持する保持部材を第１保持部材と第２保持部材に分割したので、複雑な構成の１つの保持部材を製造するものに比べて、保持部材の製造を容易に行うことができる。
【００１６】
また、第１保持部材と第２保持部材の位置を調整した後に、第１保持部材に第２保持部材を第２締結部で締結することにより、レンズと撮像素子との位置を高精度に位置決めすることができる。
【００１７】
また、本発明の画像読取装置の前記第２締結部は、スポット溶接であるものから構成されている。
この構成により、第１保持部材と第２保持部材を強固に締結することができ、第２保持部材が光軸方向に対して反ってしまうのをより一層抑制することができる。
【００１８】
また、本発明の画像読取装置の前記第２締結部は、カシメ固定であるものから構成されている。
この構成により、第１保持部材を第２保持部材にカシメ固定によって簡単に固定する締結することができ、画像読取装置の製造を簡単に行うことができる。
【００１９】
また、本発明の画像読取装置の前記第２締結部は、前記第１保持部材および第２保持部材の何れか一方に設けられ、前記光軸方向に延在する長穴と、前記第１保持部材および第２保持部材の何れか他方に設けられた丸穴と、前記長穴および前記丸穴に挿通するボルトと、前記ボルトに螺合するナットとを備えたものから構成されている。
【００２０】
この構成により、第１保持部材と第２保持部材の相対位置を容易に調整することができる上に、撮像素子とレンズの距離が光軸方向にずれた場合にも、撮像素子とレンズの距離を正常な位置に再調整することができる。
【００２１】
また、本発明の画像読取装置は、前記保持部材が板金部材から構成されている。
この構成により、保持部材が撮像素子の熱の影響を受けて変形するのをより一層抑制することができる。
【００２２】
また、本発明の画像読取装置は、前記板金部材が黒色鋼板から構成されている。
この構成により、保持部材が撮像素子の熱の影響を受けて変形するのをより一層抑制することができる。
【００２３】
また、本発明の画像読取装置の前記第２保持部材は前記撮像素子を覆う遮蔽部を備え、前記遮蔽部は、前記撮像素子に介して光軸方向と略直交する方向に設置されるものから構成されている。
【００２４】
この構成により、第２保持部材が撮像素子を覆う遮蔽部を光軸方向と略直交する方向に有するので、光源から原稿に光を照射したときに、不要な拡散反射光（フレア光）が撮像素子の素子面に入射するのを防止することができ、原稿の読取精度が悪化するのをより一層防止することができる。
【００２５】
また、本発明の画像読取装置の前記遮蔽部は、別部材からなり、前記第１保持部材に直接固定されるものから構成されている。
この構成により、熱源である撮像素子の近傍に遮蔽部を位置させた場合でも、撮像素子からの熱を遮蔽部から第２保持部材に放出することができ、撮像素子の周囲の温度上昇を抑制させることができる。
【００２６】
また、本発明の画像読取装置の前記遮蔽部は、前記第１保持部材から前記撮像素子側に延在するものから構成されている。
この構成により、熱源である撮像素子の近傍に遮蔽部を位置させた場合でも、撮像素子からの熱を遮蔽部から第２保持部材に放出することができ、撮像素子の周囲の温度上昇を抑制させることができる。
【００２７】
また、本発明の画像読取装置は、前記第１保持部材を前記第２保持部材の光軸方向の一端部に設け、前記第２保持部材の光軸方向の他端部に、前記レンズに入射される反射光のシェーディング補正を行うシェーディング補正板を一体的または別体に設けたものから構成されている。
【００２８】
この構成により、レンズに入射される反射光のシェーディング補正を行うことができるので、レンズに入射される反射光の光量を一定にして画像むらが発生するのを防止することができる。
【００２９】
また、第２保持部材の光軸方向の他端部に別体のシェーディング補正板を設けた場合には、第２保持部材とシェーディング補正板を別部材から構成することができるので、第２保持部材にシェーディング補正板を一体的に設けたものに比べて、第２保持部材の製造を容易に行うことができる。
【００３０】
また、本発明の画像読取装置の前記第１保持部材は、前記撮像素子と前記レンズの位置決めを行う位置決め用の開口部を有し、前記開口部は、前記反射光の光軸方向に対して前記複数の第１締結部の間の位置に設けられるものから構成されている。
【００３１】
この構成により、開口部に図示しない組立装置のピン等を挿入して、第１保持部材に第２保持部材を組み付け、この開口部から撮像素子までの位置を調整することにより、撮像素子とレンズとの位置決めを行って第１保持部材に第２保持部材を固定する。
【００３２】
この開口部は反射光の光軸方向に対して第２締結部と同様に複数の第１締結部の間の位置に設けられるので、撮像素子から発生する熱によって第１締結部の間の第１保持部材が変形するのを抑制することができる。
【００３３】
そして、撮像素子から発生する熱の影響によって第２保持部材が光軸方向に対して反ってしまうのを抑制することができるので、予めレンズと撮像素子の位置決めを行って第１保持部材と第２保持部材を第１締結部によって締結した場合でも、撮像素子とレンズとの距離（初期位置）が大きく変動するのを防止して、原稿の読取精度が悪化するのを防止することができる。
【００３４】
また、本発明の画像形成装置は、記録媒体に画像を形成する画像形成手段を備えるとともに、上述した画像読取装置を備えたものから構成されている。
【００３５】
この構成により、撮像素子の熱の影響を受けて撮像素子とレンズとの距離が大きく変動するのを防止して、原稿の読取精度が悪化するのを防止することができ、記録媒体に画像を良好に形成することができる画像形成装置を得ることができる。
【発明の効果】
【００３６】
本発明は、撮像素子から発生する熱の影響を受けて撮像素子とレンズとの距離が大きく変動するのを防止して、原稿の読取精度が悪化するのを防止することができる画像読取装置および画像読取装置を備えた画像形成装置を提供することができる。
【発明を実施するための最良の形態】
【００３７】
以下、本発明の実施の形態について、図面を用いて説明する。
図１〜図５は本発明に係る画像読取装置および画像読取装置を備えた画像形成装置の第１の実施の形態を示す図であり、画像形成装置を複写機に適用した例を示している。なお、画像形成装置としては、複写機に限らず、ファクシミリ装置、複合機等のように画像読取装置を備えたものであれば、如何なるものにも適用可能である。
【００３８】
まず、構成を説明する。図１において、画像形成装置としての複写機１０は、自動原稿搬送装置（以下、単にＡＤＦという）１１、給紙部１２、画像読取部（画像読取装置）１３および画像形成部（画像形成手段）１４を備えている。
【００３９】
ＡＤＦ１１は、原稿トレイ１６に載置された原稿を給紙ローラや分離ローラ等の各種ローラからなる分離給紙手段１７によってコンタクトガラス１５上に搬送し、読取りが終了した原稿を搬送ベルト１８によってコンタクトガラス１５上から搬出した後、各種排紙ローラからなる排紙手段１９によって排紙トレイ２０に排紙する。
【００４０】
また、原稿の両面を読取る場合には、排紙手段１９に設けられた分岐機構および排紙手段１９によって原稿をコンタクトガラス１５上に返送して未読取面の読取りを行うようになっている。
【００４１】
給紙部１２は、異なるサイズの記録紙を収納する給紙カセット２１ａ、２１ｂと、給紙カセット２１ａ、２１ｂに収納された記録紙を画像形成位置まで搬送する各種ローラからなる給紙手段２２とを備えている。
【００４２】
また、画像読取部（画像読取装置）１３は、第１走行体３１、第２走行体３２および読取ユニット３３を備えており、詳しくは後述するが、コンタクトガラス１５上に搬送される原稿を読取る際には、第１走行体３１および第２走行体３２をコンタクトガラス１５側の左下方に固定し、コンタクトガラス１５上に載置された原稿を読取る際には、第１走行体３１および第２走行体３２をコンタクトガラス１５の下方で図１中、左右方向に移動させるようになっている。
【００４３】
画像形成部１４は、読取ユニット３３に取り込まれた読取信号に基づいて書き込み信号を形成する露光装置２３と、露光装置２３によって生成された書き込み信号が表面に形成される複数の感光体ドラム２４と、異なる色のトナーが充填され、各感光体ドラム２４に異なる色のトナーを供給して書き込み信号を可視像化させる現像装置２５と、感光体ドラム２４上に形成された可視像が重ねられて転写されることによりカラー画像が形成され、このカラー画像を給紙部１２から給紙された記録紙に転写する転写ベルト２６と、記録紙に定着されたカラー画像を記録紙に定着する定着装置２７とを備えている。
【００４４】
また、第１走行体３１の内部には光源３４および第１ミラー３５が装着されている。光源３４はハロゲンランプ等から構成されており、コンタクトガラス１５を通過する原稿またはコンタクトガラス１５に載置された原稿を照射するようになっている。第１ミラー３５は図１中、手前側と奥側の両端部が第１走行体３１に支持されており、原稿面から反射された光が入射するようになっている。
【００４５】
また、第２走行体３２には第２ミラー３６および第３ミラー３７が装着されており、この第２ミラー３６および第３ミラー３７は図１中、手前側と奥側の両端部が第２走行体３２に支持され、第１ミラー３５から反射された光を第２ミラー３６、第３ミラー３７の順に反射するようになっている。
【００４６】
また、読取ユニット３３には、レンズ３８と、走査方向に複数の素子面が配列されたＣＣＤラインセンサ等の撮像素子３９とが装着されており、第３ミラー３７から反射された光はレンズ３８によって集光された後、撮像素子３９に結像されて原稿面の画像データに応じたアナログ画像信号に変換されるようになっている。
【００４７】
また、第１走行体３１および第２走行体３２には図示しない公知の駆動機構のワイヤが取付けられているとともに、画像読取部１３の本体フレームの一部を構成する走行レールに摺動自在に取付けられており、ワイヤは画像読取部１３の図１中、左右に延在している。
【００４８】
コンタクトガラス１５上に載置された原稿の読取りを行う場合には、複写機１０の図示しないホストコンピュ−タから送られてくる１ライン毎の画像読取要求の信号に応じて、駆動機構を駆動することにより、ワイヤを図１中、左右方向に移動させることにより、第１走行体３１および第２走行体３２がそれぞれ２：１の速度で原稿面に沿って移動しながら光源３４からコンタクトガラス１５上の原稿面に光を照射させるようになっている。
【００４９】
このため、原稿面が副走査方向に光学的に走査され、この反射光は第１ミラー３５、第２ミラー３６、第３ミラー３７の順に反射された後、レンズ３８を通して撮像素子３９の素子面に結像されることにより、原稿面が読取られる。
【００５０】
図２〜図５は読取ユニット３３の構成図である。図２〜図５において、平板状の支持ブラケット（支持部材）４０は板金部材から構成されており、この支持ブラケット４０は画像形成部１３の走行レール１３ａにボルト等によって取付けられている。なお、この走行レール１３ａには上述したように第１走行体３１および第２走行体３２が摺動自在に取付けられている。
【００５１】
支持ブラケット４０には板金部材として黒色鋼板から構成されたＬ字形状の第１保持ブラケット（第１保持部材）４１が取付けられており、この第１保持ブラケット４１は４つのボルト（第１締結部）４２ａ、４２ｂによって支持ブラケット４０に締結されている。また、ボルト４１ａ、４１ｂは第３ミラー３７からの反射される原稿面からの反射光の光軸方向に離隔して設定されている。
【００５２】
第１保持ブラケット４１には半円状のブラケット４３によってレンズ３８が固定されており、このブラケット４３の両端部はボルト４３ａによって第１保持ブラケット４１に固定されている。
【００５３】
また、第１保持ブラケット４１に対して光軸方向一端部には、板金部材として黒色鋼板からなるからなるＬ字形状の第２保持ブラケット（第２保持部材）４４の基端部が取付けられており、この第２保持ブラケット４４は第２締結部としてカシメ固定（以下、このカシメ固定部分をカシメ部４５という）によって第１保持ブラケット４１に締結されている。このカシメ部４５はレンズ３８に入射される反射光の光軸方向に対してボルト４２ａと４２ｂの間に設定されている。
【００５４】
また、第２保持ブラケット４４の先端部には撮像素子３９が取付けられており、この撮像素子３９は第２保持ブラケット４４の先端部に設けられた突起部４４ａ、４４ｂの間に圧入されることにより、第２保持ブラケット４４に強固に保持されている。
【００５５】
また、第２保持ブラケット４４の先端部には開口部４４ｃが形成されており（図３参照）、突起部４４ａ、４４ｂに圧入された撮像素子３９の素子面は開口部４４ｃを通してレンズ３８に対向している。したがって、レンズ３８に集光された原稿からの反射光は、撮像素子３９の素子面に確実に入射される。
【００５６】
また、撮像素子３９には回路基板４６が取付けられており、この回路基板４６はアナログ／デジタル変換器、２値化回路、多値化回路、階調処理回路、変倍処理回路、編集処理回路等を備え、撮像素子３９によってアナログ信号に変換された原稿の読取データをアナログ／デジタル変換器によりデジタル画像信号に変換し、２値化処理、多値化処理、階調処理、変倍処理、編集処理を行って生成された画像データを画像形成部１４に送信するようになっている。
【００５７】
また、読取ユニット３３を画像読取部１３に取付ける前の状態にあっては、第２保持ブラケット４４にはカバー４７が取付けられており（図２参照）、撮像素子３９はカバー４７によって保護される。
【００５８】
また、第１保持ブラケット４１に対して光軸方向の他端部の第１保持ブラケット４１はシェーディング補正部（シェーディング補正板）４８を構成しており、このシェーディング補正部４８にはレンズ３８と対向する部分にシェーディング補正用の開口部４８ａが開口し、開口部４８ａは中央部よりも両端部が幅広に形成されている。
【００５９】
したがって、第３ミラー３７によって反射された原稿からの反射光はシェーディング補正部４８によって画像むらが補正された後、レンズ３８に集光された後、撮像素子３９に結像される。
【００６０】
また、第１保持ブラケット４１には位置決め用の開口部４９が設けられており、この開口部４９はボルト４２ａ、４２ｂの間に形成されている。この開口部４９には図示しない組立装置のピン等が挿入されるようになっており、読取ユニット３３の組立時には、開口部４９にピンを挿入して、第１保持ブラケット４１に第２保持ブラケット４４を組み付け、この開口部４９から撮像素子３９までの位置を調整することにより、撮像素子３９とレンズ３８との位置決めを行ってボルト４２ａ、４２ｂによって第１保持ブラケット４１に第２保持ブラケット４４を締結するようになっている。
【００６１】
このような構成を有する読取ユニット３３にあっては、第１保持ブラケット４１にレンズ３８を装着した後、ボルト４３ａを用いてブラケット４３を第１保持ブラケット４１に固定することにより、レンズ３８を第１保持ブラケット４１に固定する。
【００６２】
次いで、ボルト４２ａ、４２ｂを用いて第１保持ブラケット４１を支持ブラケット４０に締結した後、組立装置のピンを開口部４９に挿入して、第１保持ブラケット４１に第２保持ブラケット４４を仮位置決めし、開口部４９の位置から撮像素子３９までの距離を調整することより、レンズ３８と撮像素子３９の位置決めを行う。
【００６３】
レンズ３８と撮像素子３９の位置決め作業が終了すると、カシメ部４５によって第１保持ブラケット４１に第２保持ブラケット４４を締結して読取ユニット３３を構成する。このとき、カシメ部４５は光軸方向に対してボルト４２ａ、４２ｂの間に位置する。
【００６４】
次いで、支持ブラケット４０をボルト等によって走行レール１３ａに取付けることにより、読取ユニット３３が画像読取部１３に装着される。なお、読取ユニット３３の装着手順は上述した方法に限定されるものではない。
【００６５】
このように画像読取部１３に装着された読取ユニット３３にあっては、原稿の複写時に原稿の読取りを行う。このとき、光源３４から原稿面に光を照射し、原稿面からの反射光を第１ミラー３５、第２ミラー３６、第３ミラー３７の順に反射させた後、レンズ３８を通して撮像素子３９に結像する。このとき、原稿の読取枚数が多い場合等には撮像素子３９の温度が高温になり、撮像素子３９の熱の影響を受けて第１保持ブラケット４１や第２保持ブラケット４４が変形しようとする。
【００６６】
本実施の形態では、レンズ３８を保持する第１保持ブラケット４１と支持ブラケット４０を締結するボルト４２ａ、４２ｂを反射光の光軸方向に離隔する位置に設け、撮像素子３９を保持する第２保持ブラケット４４を第１保持ブラケット４１に締結するカシメ部４５を、光軸方向に対してボルト４２ａ、４２ｂの間に設けることによって、第２保持ブラケット４４の他端部の取付け位置をボルト４２ａ、４２ｂの間に位置させることができる。
【００６７】
このように光軸方向に離隔して位置するボルト４２ａ、４２ｂによって支持ブラケット４０と第１保持ブラケット４１とを締結したので、撮像素子３９から発生する熱によってボルト４２ａ、４２ｂの間の第１保持ブラケット４１が変形するのを抑制することができる。
そして、変形を抑制することができる第１保持ブラケット４１の間にカシメ部４５を設定して第２保持ブラケット４４の他端部を第１保持ブラケット４１に締結したので、撮像素子３９から発生する熱の影響によって第２保持ブラケット４４が光軸方向に対して反ってしまうのを抑制することができる。この結果、撮像素子３９とレンズ３８との距離が大きく変動するのを防止して、原稿の読取精度が悪化するのを防止することができる。
【００６８】
また、撮像素子３９とレンズ３８を保持する保持部材を第１保持ブラケット４１と第２保持ブラケット４４に分割したので、複雑な構成の１つの保持部材を製造するものに比べて保持部材の製造を容易に行うことができる。
【００６９】
また、第１保持ブラケット４１と第２保持ブラケット４４の位置を調整した後に、第１保持ブラケット４１に第２保持ブラケット４４をカシメ部４５で締結することにより、レンズ３８と撮像素子３９との位置を高精度に位置決めすることができる。
【００７０】
また、本実施の形態では、第１保持ブラケット４１に第２保持ブラケット４４をカシメ固定しているので、第１保持ブラケット４１を第２保持ブラケット４４に簡単に固定する締結することができ、読取ユニット３３の製造を簡単に行うことができる。
【００７１】
また、本実施の形態では、第１保持ブラケット４１および第２保持ブラケット４４を黒色鋼板から構成したので、第１保持ブラケット４１および第２保持ブラケット４４が撮像素子３９の熱の影響を受けて変形するのをより一層抑制することができる。
【００７２】
また、本実施の形態では、第１保持ブラケット４１を第２保持ブラケット４４の光軸方向の一端部に設け、第２保持ブラケット４４の光軸方向の他端部に、レンズ３８に入射される反射光のシェーディング補正を行うシェーディング補正部４８を一体的に設けたので、レンズ３８に入射される反射光のシェーディング補正を行うことができ、レンズ３８に入射される反射光の光量を一定にして画像むらが発生するのを防止することができる。
【００７３】
なお、シェーディング補正部４８は第１保持ブラケット４１と一体的ではなく、別体に設けても良い。この場合には、第１保持ブラケット４１を分割して製造することができるので、第１保持ブラケット４１の構成をより一層簡素化することができ、第１保持ブラケット４１の製造をより一層容易に行うことができる。
【００７４】
また、本実施の形態では、第１保持ブラケット４１に、撮像素子３９とレンズ３８の位置決めを行う位置決め用の開口部４９を設け、この開口部４９を反射光の光軸方向に対してねじ４２ａ、４２ｂの間に位置させたので、この開口部４９に組立装置のピン等を挿入して、撮像素子３９とレンズ３８との位置決めを行って第１保持ブラケット４１に第２保持ブラケット４４を固定することができるとともに、撮像素子３９から発生する熱によってねじ４２ａ、４２ｂの間の第１保持ブラケット４１が変形するのを抑制することができる。
【００７５】
そして、撮像素子３９から発生する熱の影響によって第２保持ブラケット４４が光軸方向に対して反ってしまうのを抑制することができるので、予めレンズ３８と撮像素子３９の位置決めを行って第１保持ブラケット４１と第２保持ブラケット４４をねじ４２ａ、４２ｂによって締結した場合でも、撮像素子３９とレンズ３８との距離（初期位置）が大きく変動するのを防止して、原稿の読取精度が悪化するのを防止することができる。
以上、このような構成を有する読取ユニット３３を複写機１０に設けることにより、記録紙に画像を良好に形成することができる複写機１０を得ることができる。
【００７６】
図６〜図１０は本発明に係る画像読取装置および画像読取装置を備えた画像形成装置の第２の実施の形態を示す図であり、第１の実施の形態と同様の構成には同一番号を付して説明を省略する。
【００７７】
図６、図７において、第２保持ブラケット４４には遮蔽部５１が設けられており、この遮蔽部５１は、撮像素子３９に対して光軸方向と略直交する方向である上方に設定されている。なお、この遮蔽部５１は、第２保持ブラケット４４の先端部を撮像素子３９側に延在させるようにしても良いし、第２保持ブラケット４４の先端部に別体の黒色鋼板をスポット溶接等によって直接締結するようにしても良い。
【００７８】
本実施の形態では、第２保持ブラケット４４に撮像素子３９の上方を覆う遮蔽部５１を設けたので、光源３４から原稿に光を照射したときに、不要な拡散反射光（フレア光）が撮像素子３９の素子面に入射するのを防止することができ、原稿の読取精度が悪化するのをより一層防止することができる。
【００７９】
また、遮蔽部５１を第２保持ブラケット４４に一体的または別体で締結すれば、熱源である撮像素子３９の近傍に遮蔽部５１を位置させた場合でも、撮像素子３９からの熱を遮蔽部５１から第２保持ブラケット４４に放出することができ、撮像素子３９の周囲の温度上昇を抑制させることができる。
【００８０】
なお、遮蔽部は第２保持ブラケット４４側に設けずに、撮像素子３９側に設けても良い。具体的には、図８、図９に示すように、回路基板４６に遮蔽部５２を設け、この遮蔽部５２をスポット溶接等によって第２保持ブラケット４４の先端部に直接取付けるようにしても良い。
【００８１】
また、遮蔽部５１、５２は撮像素子３９の上方だけ設けるものに限らず、図１０に示すように、撮像素子３９の上方および下方に遮蔽部５３、５４を設けても良い。この場合には、上下方向に設けられた遮蔽部５３、５４によって拡散反射光（フレア光）が撮像素子３９の素子面に入射するのをより確実に防止することができ、原稿の読取精度が悪化するのをより一層防止することができる。
【００８２】
なお、上記各実施の形態では、第２保持ブラケット４４を第１保持ブラケット４１にカシメ固定しているが、これに限らず、第２保持ブラケット４４を第１保持ブラケット４１にスポット溶接により固定しても良い。このようにすれば、第１保持ブラケット４１を第２保持ブラケット４４に強固に締結することができ、第２保持ブラケット４４が光軸方向に対して反ってしまうのをより一層抑制することができる。
【００８３】
また、第１保持ブラケット４１および第２保持ブラケット４４の何れか一方に光軸方向に延在する長穴を設けるとともに、第１保持ブラケット４１および第２保持ブラケット４４の何れか他方に丸穴を設け、この長穴および丸穴にボルトを挿通してこのボルトにナットを螺合するようにしても良い。
【００８４】
このようにすれば、第１保持ブラケット４１と第２保持ブラケット４４の相対位置を容易に調整することができる上に、撮像素子３９とレンズ３８の距離が光軸方向にずれた場合にも、撮像素子３９とレンズ３８の距離を正常な位置に再調整することができる。
【産業上の利用可能性】
【００８５】
以上のように、本発明に係る画像読取装置および画像読取装置を備えた画像形成装置は、撮像素子から発生する熱の影響を受けて撮像素子とレンズとの距離が大きく変動するのを防止して、原稿の読取精度が悪化するのを防止することができるという効果を有し、原稿からの反射光をレンズで集光した後、撮像素子に結像して電気信号に変換するようにしたスキャナ装置等の画像読取装置およびこの画像読取装置を備えたファクシミリ装置、複写機、複合機等の画像形成装置等として有用である。
【図面の簡単な説明】
【００８６】
【図１】本発明の第１の実施の形態に係る画像形成装置の概略構成図
【図２】本発明の第１の実施の形態に係る画像形成装置の読取ユニットにカバーが装着された状態の斜視図
【図３】本発明の第１の実施の形態に係る画像形成装置の読取ユニットからカバーが取り外された状態の斜視図
【図４】本発明の第１の実施の形態に係る画像読取装置の読取ユニットの上面図
【図５】本発明の第１の実施の形態に係る画像読取装置の読取ユニットの側面断面図
【図６】本発明の第２の実施の形態に係る画像読取装置の読取ユニットの側面断面図
【図７】本発明の第２の実施の形態に係る画像読取装置の読取ユニットの上面図
【図８】本発明の第２の実施の形態に係る画像読取装置の他の構成の読取ユニットの上面図
【図９】本発明の第２の実施の形態に係る画像読取装置の他の構成の読取ユニットの遮蔽部を示す図
【図１０】本発明の第２の実施の形態に係る画像読取装置の他の構成の読取ユニットの側面断面図
【図１１】従来の読取ユニットの側面断面図
【符号の説明】
【００８７】
１０  複写機（画像形成装置）
１３  画像読取部（画像読取装置）
１３ａ  走行レール（本体フレーム）
１４  画像形成部（画像形成手段）
３４  光源
３８  レンズ
４０  支持ブラケット（支持部材）
４１  第１保持ブラケット（第１保持部材）
４２ａ、４２ｂ  ボルト（第１締結部）
４４  第２保持ブラケット（第２保持部材）
４５  カシメ部（第２締結部）
４８  シェーディング補正部（シェーディング補正板）
４９  開口部
５１、５２、５３、５４  遮蔽部
【図１】
0004554495.tif 000002
【図２】
0004554495.tif 000003
【図３】
0004554495.tif 000004
【図４】
0004554495.tif 000005
【図５】
0004554495.tif 000006
【図６】
0004554495.tif 000007
【図７】
0004554495.tif 000008
【図８】
0004554495.tif 000009
【図９】
0004554495.tif 000010
【図１０】
0004554495.tif 000011
【図１１】
0004554495.tif 000012